(57)【要約】      （修正有）【課題】既に切り割れ販売されているピザ食品等のトッピング材を取分けに易く、切り分け易くするため、ビザ等の円形食品を切分ける簡易ナイフ機能、丸型食品の１片を取分けるトング、ピザサーバー機能、丸型食品の１片を載置する食器皿機能を果たし、かつ広告媒体機能も実現する器具を提供する。【解決手段】丸型食材が切り離された一片を載置可能な強度を持つ厚みの四形紙材の中に、又は両面もしくは片面を耐油性層となした四形紙材の中に切り目線で、前記紙材中に上辺と下辺と左右斜辺からなる等脚台形面に成形し、その下辺に第一の立上げ部と第一の摘み部を二本の折り線で形成した長方形面１１と、前記長方形面を前記等脚台形面と一体形成し、前記等脚台形面の上辺より下辺方向に向かった面に食品二口目の噛み切り位置にミシン目１２を設けて形成した折曲切取可能面１３と、それに連続する食品載置面１４から構成した食器用器具である。【選択図】図２
0003171558.tif 000002
【実用新案登録請求の範囲】
【請求項１】
丸型食材が切り離された一片を載置可能な強度を持つ厚みの四形紙材の中に，又は四形紙材の両面又は片面を耐油性層となし，片面を耐油性層としたときは，他面を印刷可能層とした前記四形紙材の中に切り目線で交互に逆向きになるように配置してなるように，上辺と下辺と左右斜辺からなる等脚台形面に成形し，その下辺に第一の立上げ部と第一の摘み部を二本の折り線で形成した長方形面と，前記長方形面を前記等脚台形面とを一体形成し，前記等脚台形面の上辺より下辺方向に向かった面に食品二口目の噛み切り位置にミシン目を設けて形成した折曲切取可能面と，それに連続する食品載置面から構成した食器用器具。
【請求項２】
丸型食材が切り離された一片を載置可能な強度を持つ厚みの四形紙材の中に，又は四形紙材の両面又は片面を耐油性層となし，片面を耐油性層としたときは，他面を印刷可能層とした前記四形紙材の中に切り目線で交互に逆向きになるように配置してなるように，上辺と下辺と左右斜辺からなる等脚台形面に成形し，その下辺に形成した長方形面の長手方向に第一折り目線と第二折り目線の二本の折り線を設けて形成した第一の立上げ部と第一の摘み部と，前記等脚台形面の上辺より下辺方向に向かった面に食品二口目の噛み切り位置にミシン目を設けて形成した折曲切取可能面と，それに連続する食品１片の食品載置面と，前記等脚台形面下辺の長方形面と前記等脚台形面下辺の中央に上辺方向に延伸した二本の切り取り線を設け，前記二本線により囲繞した囲繞領域面と，前記囲繞領域面の中に第三折り目線と第四折り目線を形成して第二の立上げ部と第二の摘み部とを構成してなる食器用器具。
【考案の詳細な説明】
【技術分野】
【０００１】
本考案は円形食品を簡易に切り分け取分け皿としても利用でき，かつ広告媒体ともなる食器用器具に関する。
【背景技術】
【０００２】
口もとへ食物を運ぶ食器具としては，一般にナイフ，フォーク，スプーン，箸，サーバー，トングなどであり，これらは，パンの練り生地をパイのように薄く丸形に延ばし，その上にオリーブの実やサラミ若しくはトマト等のトッピングを一面に載せて焼いた円盤形のピザ，野菜や魚介類を小麦粉に混入して焼いたちぢみ，お好み焼きや小麦粉に卵やクリーム等の乳製品を混入して料理した丸型ケーキ等の円形食品を食べる際の支援食器用器具である。
最近，宅配ピザサービスなどの市場が拡大し，手頃に円形食品を切り分けたものを配達することが行われている。配達された箱又はケースからこれらの食品を取り出して口元に運ぶとき，従来のこれらの諸器具では，手軽に使えない。
また，最初から適当な数に切り分けられていないときは，円盤形のピザ等を切り分けるとき，ピザなどを切り分けるために用いる調理器具であるピザカッター（Pizza
cutter）を用いるか，手で直接ちぎっていた。
ピザカッターは，回転可能な刃のついた車輪をピザに押し付けて，往復させることにより切ることができる車輪型と，金属刃の両端に垂直に延びる把柄を握り押し付けて切断する半月型(メッツァルーナ
(Messalina) と呼ばれる)の二大タイプがあるが，いずれも，金属を刃として用いるため調理器具の小道具として常備していなくてはならず，手軽に使用できない。
トング又はサーバーは，金属製もしくは樹脂製のトング又はサーバーが一般的である。調理用トングは基本的には平坦な略薄板状の掬い部で形成されたヘラであり，調理用サーバーは凹陥状の掬い部で形成されているため，これらもまた，調理器具の小道具として常備していなくてはならず，手軽に使用できない。
円盤形のピザ等やちぢみ，お好み焼きや丸型ケーキ等の円形食品を切り分けて食するとき，食材を口もとに運ぶときや取置きするときに利用する皿は，紙，陶器，樹脂などの素材で，円形，四角形の皿が一般的である。従来品はいずれも強度があり，繰り返し使用できる反面，ピザ等を取り分て食べるには，上記3種の食器用器具がそれぞれ必要であり，しかも使用後は洗浄を要する。また，皿の形状は，取り分けたピザのピースの形状に適合しておらず，結局食べるには皿に盛ったピザを手でつかみ口にもっていかなくてはならない。
そこで上記問題を一つの道具で「ナイフ」「トング」「皿」の食器用器具としての3つの機能を同時に有し，且つまた，広告媒体としても活用できるものが望まれている。
【先行技術文献】
【特許文献】
【０００３】
【特許文献１】実用新案登録第2543408号(実開平5-77018)公報
【特許文献２】実開平6-37121号公報
【特許文献３】実開平1-128671号公報
【特許文献４】特開2008-68013号公報
【特許文献５】実開平6-75272号公報
【特許文献６】実開平2-43271号公報
【特許文献７】特開2006-327686号公報
【考案の概要】
【考案が解決しようとする課題】
【０００４】
特許文献１は，折り目線を介して，３角形の底面板の２つの斜辺にそれぞれ略横長長方形面の斜辺側面板を連設して，この３角形の底面板の底辺にそれぞれ横長長方形面の底辺底面下板と底辺底面上板と底辺側面板とを順に連設した板紙製の紙皿を開示している。前記板紙製の紙皿は底面板の２等辺３角形状の頂角の先端を通って底面板ほかを２等分する折畳み線を設けて，底面板の２等辺３角形状の底角の先端を通って折畳み線に平行な２本の折畳線を設けて，また２枚の斜辺側面板の頂角側端辺にそれぞれ折り目線を介して糊代片を連設して，２枚の斜辺側面板の底角側端辺と底辺底面下板の両端辺との間に，それぞれミシン目線と折り目線と折畳み線とを介して底辺側面繋止片と糊代片とを順に連設して，さらに２枚の底辺側面繋止片と底辺側面板の両端部とにそれぞれ繋止切欠きを設けた３角形の紙皿のブランクを，まず底辺底面下板の内面と底辺底面上板の内面とを，折り目線を内側に折畳んで貼合せして，次に底辺底面上板の両端部の外面と２枚の糊代片の内面とを，それぞれ折畳み線を内側に折畳んで貼合せして，続いて２枚の糊代片の内面どうしを，折畳み線を内側に折畳んで貼合せした３角形の紙皿を開示している。しかし，特許文献１に記載の考案は，形状が複雑であるため製作コストが高い。また，紙皿にする作成手順が多く複雑であったり，また，糊を使用する必要があったりするので，作成に非常に手間が掛かり，また，幼い子供や身体障害者等にとっては作成するのが困難である。
【０００５】
特許文献2は三角形のケースの蓋の底辺の部分と頂点より約１／３の高さ部分にもミシン目を入れ，台形の蓋板が切り放せるようにし，前記台形の蓋板の底辺の部分には魚の尾ひれ状の指押えが残るようにピザケース本体の背の部分にカットオフ線を入れ，前記台形の蓋板の中心部分に垂直な約三本の折込線をいれたカット売りピザケースを開示している。しかし，この文献の技術は三角形のケースの蓋を利用するものである紙は厚くごわごわして扱いにくい。そのため三角形のケースの台形の蓋板の中心部分に垂直な約三本の折込線を入れないと強度が生まれない。
【０００６】
特許文献3は厚紙などの平面的な材料を用い，穴をあけ，折り曲げ線を設けて谷側と山側に折り曲げて受け皿部とつまみ部と突起部を形成する立体的なピザ用食器具を開示している。このピザ用食器具は谷折線や山折線の折り曲げ線を利用して立体的に構成するために手を煩わし，突起部を立体的に形成するため，受け皿部分の面積が狭くなり，ピザ等の食品の載置がスムースにできなく，受け皿と突起部の間にできた空隙にピザ等の食品を挿入しなければならないので，ビザ等の食品の受け渡しがスムースにできない。さらに，この技術は単なる厚紙を平面材として利用する場合には，厚紙に耐油性層やコート層などの加工が施されていないために，油物食品の食器具として手が汚れるなどの取り扱いに難がある。
【０００７】
特許文献4は折れ線により形成した保持されるための保持部と，飲食物が支持される支持部を有する曲げ変形可能な連続した１枚のシートからな簡易作成型飲食用器具を開示している。しかし，この文献の技術は曲げ変形させられたときに対向する複数の孔と曲げ変形させられた状態を維持する変形維持手段を前記孔において指で保持して結合する必要があるため，指で保持することが負担となる。特に子供や老人にとって容易に結合できない。
【０００８】
特許文献5は可撓性を有する合成樹脂製の平板状一体成型からなり，先端が隅丸の三角形状をなし，少なくとも一側にカッターを有し，かつ基端近傍に係合突起を突設してなるすくい部と，該すくい部の基端に一端が折曲可能に接続された柄部の下片と，該下片の他端に折曲可能に接続された上片と，該上片に折曲可能に接続され，かつ前記係合突起に係合可能なすくい部先端側から順に第１の係合個所と第２の係合個所のある係合孔を有する係合片と，を備え，前記柄部の下片と上片とを折り曲げ，前記係合突起と前記係合孔の第２の係合個所を係合させて，下片と上片とを重ね合わせて，前記すくい部及び柄部全体をフラット状にしてなると共に，前記柄部の下片と上片とを折り曲げ，前記係合突起と前記係合孔の第１の係合個所を係合させて，前記すくい部と下片を折曲し，上片と係合片を折曲して，柄部をすくい部基端より後方斜め上方に立ち上げて側面視にて三角形状にしてなるケーキ及びピザ用サーバーを開示している。しかし，この文献の技術は合成樹脂性の平板状一体成型のケーキ及びピザ用サーバーであるため，使い捨てをしようとしても地球環境維持の観点から焼却に問題が生じる。
【０００９】
特許文献6は摘み部を有するトレー，カッテング用ナイフ，ナプキン掛け等をピザ用食器具の身の側面又は底面に形成した宅配用又は持帰り用のピザケースを開示している。しかし，この文献の技術は宅配用又は持帰り用のピザケースの紙製の身と蓋の一部に切り込み線を設けて摘み部を有するトレー，カッテング用ナイフを取り出すものであり，複数の用具をビザケースから取り出すために手間かがかかり取り扱いに難がある。
【００１０】
特許文献7は宅配ピザ店においてピザを紙箱に入れる際に，ピザに直接触れる上面は油とりの性質のある面とし，印刷のインクが食品に触れないよう左右反転させて行う広告を裏面に印刷した油とり紙をピザ底面と紙箱の間に封入する手段が開示されている。しかし，この文献の技術は，ピザ底面と紙箱の間に封入する手段が油とり紙であり，この使用目的は宅配ピザを食べる際の手や紙箱の油汚れを解決することと，広告媒体とすることであるから，ビザ等の食品を切り分け取分け皿にして利用するものではない。
【００１１】
上記した従来技術では，一つの道具で「ナイフ」「トング」「皿」の食器器具としての3つの機能を同時に有することはできない。且つまた，前記した３つの機能を実現しつつ一つの道具で広告媒体としても活用できない。特に，すでに切り割れされて販売されているピザ食品等は，上部にチーズ等のトッピング材が加熱されているので，食品生地にカットが入っていても，トッピング材が粘り，取分けにくく，さらにトッピング材を切り分けることが必要となっている。
【００１２】
本考案は，特に，すでに切り割れされて販売されているピザ食品等が，カットが入っていても上部にチーズ等のトッピング材が加熱されていることから粘っている食品生地上のトッピング材を取分けに易く，さらにトッピング材を切り分け易くするため，ビザ等の円形食品を切り分ける簡易ナイフ機能，切り分けた丸型食品の1片を取り分けるトング，ピザサーバー機能，丸型食品の1片を載置する皿としての食器機能を果たすと共に，チラシとしての広告媒体機能を一つの道具で実現することを目的とするものである。
【課題を解決するための手段】
【００１３】
本件考案の課題を解決するための手段は，丸型食材が切り離された一片を載置可能な強度を持つ厚みの四形紙材の中に，又は四形紙材の両面又は片面を耐油性層となし，片面を耐油性層としたときは，他面を印刷可能層とした前記四形紙材の中に切り目線で交互に逆向きになるように配置してなるように，上辺と下辺と左右斜辺からなる等脚台形面に成形し，その下辺に第一の立上げ部と第一の摘み部を二本の折り線で形成した長方形面と，前記長方形面を前記等脚台形面とを一体形成し，前記等脚台形面の上辺より下辺方向に向かった面に食品二口目の噛み切り位置にミシン目を設けて形成した折曲切取可能面と，それに連続する食品載置面から構成した食器用器具である。
【００１４】
本件考案の更なる課題を解決するための手段は，丸型食材が切り離された一片を載置可能な強度を持つ厚みの四形紙材の中に，又は四形紙材の両面又は片面を耐油性層となし，片面を耐油性層としたときは，他面を印刷可能層とした前記四形紙材の中に切り目線で交互に逆向きになるように配置してなるように，上辺と下辺と左右斜辺からなる等脚台形面に成形し，その下辺に形成した長方形面の長手方向に第一折り目線と第二折り目線の二本の折り線を設けて形成した第一の立上げ部と第一の摘み部と，前記等脚台形面の上辺より下辺方向に向かった面に食品二口目の噛み切り位置にミシン目を設けて形成した折曲切取可能面と，それに連続する食品１片の食品載置面と，前記等脚台形面下辺の長方形面と前記等脚台形面下辺の中央に上辺方向に延伸した二本の切り取り線を設け，前記二本線により囲繞した囲繞領域面と，前記囲繞領域面の中に第三折り目線と第四折り目線を形成して第二の立上げ部と第二の摘み部とを構成してなる食器用器具である。
【考案の効果】
【００１５】
本件考案は，その素材を丸型食材が切り離された一片を載置可能な強度を持つ厚みの四形紙材としたから，丸型食材が切り離された一片を載置することができる。
【００１６】
さらに本件考案は，その素材を四形紙材の両面又は片面を耐油性層となし，他の一面を印刷可能層としたときは，片面を耐油性層とすることができるから，両面又は片面を耐油性層としたときは，切り離された丸型食材の一片から滲み出る油の浸透を抑え前記紙材自体よりもより強度を増した状態となるため，容易に円形食品の取分け一片を切り分けることができることに加え，すでに切り割れされて販売されているピザ食品等が，カットが入っていても上部にチーズ等のトッピング材が加熱されていることから粘っている食品生地上のトッピング材を取分けに易く，さらにトッピング材を切り分け易くすることができる。
【００１７】
さらに，本件考案は，前記四形紙材に上辺と下辺と左右斜辺からなる等脚台形面と，前記等脚台形面の下辺に第一の立上げ部と第一の摘み部を二本の折り線で形成した長方形面と，前記長方形面を前記等脚台形面とを一体形成したから前記等脚台形面の上辺を刃先とし，二本の折り線で形成した長方形面を把持部として利用できるから刃先を立てて長方形面の把持部上下端を握り，上から下に向かって力を入れると丸型食品の一片を切り分けることができ，さらにトッピング材を簡単に切り分け易くすることができる。
【００１８】
本件考案は，前記等脚台形面と，前記二本の折り線で形成した長方形面とが一体形成されており，前記等脚台形面の上辺より下辺方向に向かった面に食品二口目の噛み切り位置にミシン目を設けて形成した折曲切取可能面と，それに連続する食品載置面から構成してなるから，丸型食材が切り離された一片を食品載置面に載置することができるので皿としての機能を利用できる。
【００１９】
本考案は，丸型食品一片を食品載置面に載置し食品二口目の噛み切り位置まで喫食が進んだ時，前記折曲切取可能面をミシン目に沿って折曲又は切離して，折曲切取可能面のみを取り除くことができるから食品載置面に残っている食品の喫食の妨げとならず，食品二口目以降の喫食を滑らかに進めることができる。したがって，本考案は，丸型食品の一片を取り分けることができるから料理を各自の取り皿によそうための器具であるピザサーバー機能も実現できる。
【００２０】
本件考案は，前記長方形面の長手方向に第一折り目線と第二折り目線の二本の折り線を設けて形成したことから，強度が高まり，横方向から中心方向への力が加わったとしても充分に耐えられる。
さらに，第一の立上げ部と第一の摘み部を設けたことより，その両端部を掴み部として活用できるため，手を汚さずにビザ等の丸型食品の切分一片を皿としての食品載置面に載せて運ぶ際に，前記掴み部の両端部をつかむことが可能である。
このように，本考案は，一体形成した前記長方形面と前記等脚台形面からなる食品載置面に丸型食品一片を載置し，前記長方形面の両端を親指と人差し指で掴むことで丸型食品一片を挟み込むことによって箸よりも安易かつ軽い力でつまみ上げられる。したがって，本考案は，食品をピンセットのように挟み込むことによって箸よりも安易かつ軽い力でつまみ上げられる先端部がへら状になっている道具のトング機能も実現できる。
【００２１】
上記の効果を一つの本考案で実現できるから，一つで，「ナイフ」，「トング」，「皿」の食器用器具としての3つの機能を同時に有している。
【００２２】
本考案は，且つまた，前記紙材及び四角形の平面紙基材とその紙基材の両面又は片面を耐油性層となし，片面を耐油性層としたときは，他面を印刷可能層とした紙材であるから印刷が可能であり，紙材の両面又は片面にチラシとして印刷できる広告媒体機能を実現することができる。
【００２３】
本件考案は紙材の面を耐油性層としたときは耐油性の高い素材を使用することができるため，持つ手が汚れない。
【００２４】
本件考案は紙を材料とするから，使用後に紙ごみとして廃棄可能である。
【００２５】
本件考案は，丸型食材が切り離された一片を載置可能な強度を持つ厚みの四形紙材の中に，又は四形紙材の両面又は片面を耐油性層となし，片面を耐油性層としたときは，他面を印刷可能層とした前記四形紙材の中に切り目線で交互に逆向きになるように配置してなるように，上辺と下辺と左右斜辺からなる等脚台形面に成形し，その下辺に形成した長方形面の長手方向に第一折り目線と第二折り目線の二本の折り線を設けて形成した第一の立上げ部と第一の摘み部と，前記等脚台形面の上辺より下辺方向に向かった面に食品二口目の噛み切り位置にミシン目を設けて形成した折曲切取可能面と，それに連続する食品１片の食品載置面と，前記等脚台形面下辺の長方形面と前記等脚台形面下辺の中央に上辺方向に延伸した二本の切り取り線を設け，前記二本線により囲繞した囲繞領域面と，前記囲繞領域面の中に第三折り目線と第四折り目線を形成して第二の立上げ部と第二の摘み部とを構成してなる食器用器具であるから，本件考案を皿として使用している際に，前記等脚台形面の上辺より下辺方向に向かった面に食品二口目の噛み切り位置に設けたミシン目の位置で折り曲げ，切り離すことで，折曲切離可能面を取り去って面積を減少し，適宜に皿機能を有する食品載置面を小さくできるから，ピザ等の丸型食品の切分一片の喫食において，折曲切離可能面が食べ進みの障害とならず，食べ進みをスムースにできる。
【００２６】
本件の第二の考案は，前記紙材の等脚台形面の上に切り分け食品を載せて食べ進めるうちに，第一折り目線，第二折り目線，と順時に折り曲げてゆくことができるから，この際に，立ち上がってくる第一の摘み部と第二の摘み部の面に広告文などを印刷することができる。その結果，本考案は，その独特の成形物特有の広告の"見せ方"の工夫ができる。
【図面の簡単な説明】
【００２７】
【図１】型材に配置された本考案の一実施例と第二実施例の底面図である。
【図２】本考案の第一実施例を示す図である。
【図３】型材に配置された本考案の第一実施例と第二実施の表面図である。
【図４】本考案の第二実施例を示す図である。
【図５】本考案の第一実施例の切断具としての実施状況を示す図である。
【図６】本考案の第一実施例の取分け用食品載置具としての実施状況を示す図である。
【図７】本考案の第二例の実施例の立上げ部を立ち上げ第一摘み部と第二摘み部の斜視図である。
【図８】本考案の第二実施例の切断食品の取分け具としての実施状況を示す図である。
【図９】本考案の一実例の実施例の広告媒体としての実施状況を示す図である。
【考案を実施するための形態】
【００２８】
本件考案の第一の形態は，丸型食材が切り離された一片を載置可能な強度を持つ厚みの四形紙材の中に，切り目線で交互に逆向きになるように配置してなるように，上辺と下辺と左右斜辺からなる等脚台形面に成形し，その下辺に第一の立上げ部と第一の摘み部を二本の折り線で形成した長方形面と，前記長方形面を前記等脚台形面とを一体形成し，前記等脚台形面の上辺より下辺方向に向かった面に食品二口目の噛み切り位置にミシン目を設けて形成した折曲切取可能面と，それに連続する食品載置面から構成した食器用器具のショベル型である。
四形紙材の両面を耐油性層とし，前記両面耐油性層の四形紙材の中に切り目線で交互に逆向きになるように配置してなるように，上辺と下辺と左右斜辺からなる等脚台形面に成形し，その下辺に第一の立上げ部と第一の摘み部を二本の折り線で形成した長方形面と，前記長方形面を前記等脚台形面とを一体形成し，前記等脚台形面の上辺より下辺方向に向かった面に食品二口目の噛み切り位置にミシン目を設けて形成した折曲切取可能面と，それに連続する食品載置面から構成した食器用器具のショベル型である
片面を耐油性層とし他面を印刷可能層とした前記四形紙材の中に切り目線で交互に逆向きになるように配置してなるように，上辺と下辺と左右斜辺からなる等脚台形面に成形し，その下辺に第一の立上げ部と第一の摘み部を二本の折り線で形成した長方形面と，前記長方形面を前記等脚台形面とを一体形成し，前記等脚台形面の上辺より下辺方向に向かった面に食品二口目の噛み切り位置にミシン目を設けて形成した折曲切取可能面と，それに連続する食品載置面から構成した食器用器具のショベル型である。
【００２９】
本件考案の第二の形態は，丸型食材が切り離された一片を載置可能な強度を持つ厚みの四形紙材の中に，切り目線で交互に逆向きになるように配置してなるように，上辺と下辺と左右斜辺からなる等脚台形面に成形し，その下辺に形成した長方形面の長手方向に第一折り目線と第二折り目線の二本の折り線を設けて形成した第一の立上げ部と第一の摘み部と，前記等脚台形面の上辺より下辺方向に向かった面に食品二口目の噛み切り位置にミシン目を設けて形成した折曲切取可能面と，それに連続する食品１片の食品載置面と，前記等脚台形面下辺の長方形面と前記等脚台形面下辺の中央に上辺方向に延伸した二本の切り取り線を設け，前記二本線により囲繞した囲繞領域面と，前記囲繞領域面の中に第三折り目線と第四折り目線を形成して第二の立上げ部と第二の摘み部とを構成してなる食器用器具の押出型である。
両面を耐油性層とした四形紙材の中に切り目線で交互に逆向きになるように配置してなるように，上辺と下辺と左右斜辺からなる等脚台形面に成形し，その下辺に形成した長方形面の長手方向に第一折り目線と第二折り目線の二本の折り線を設けて形成した第一の立上げ部と第一の摘み部と，前記等脚台形面の上辺より下辺方向に向かった面に食品二口目の噛み切り位置にミシン目を設けて形成した折曲切取可能面と，それに連続する食品１片の食品載置面と，前記等脚台形面下辺の長方形面と前記等脚台形面下辺の中央に上辺方向に延伸した二本の切り取り線を設け，前記二本線により囲繞した囲繞領域面と，前記囲繞領域面の中に第三折り目線と第四折り目線を形成して第二の立上げ部と第二の摘み部とを構成してなる食器用器具の押出型である。
片面を耐油性層とし他面を印刷可能層とした前記四形紙材の中に切り目線で交互に逆向きになるように配置してなるように，上辺と下辺と左右斜辺からなる等脚台形面に成形し，その下辺に形成した長方形面の長手方向に第一折り目線と第二折り目線の二本の折り線を設けて形成した第一の立上げ部と第一の摘み部と，前記等脚台形面の上辺より下辺方向に向かった面に食品二口目の噛み切り位置にミシン目を設けて形成した折曲切取可能面と，それに連続する食品１片の食品載置面と，前記等脚台形面下辺の長方形面と前記等脚台形面下辺の中央に上辺方向に延伸した二本の切り取り線を設け，前記二本線により囲繞した囲繞領域面と，前記囲繞領域面の中に第三折り目線と第四折り目線を形成して第二の立上げ部と第二の摘み部とを構成してなる食器用器具の押出型である。
【実施例】
【００３０】
本考案の実施例は丸型食材が切り離された一片を載置可能な強度を持つ厚みの四形紙材，両面耐油性層の四形紙材又は，片面を耐油性層で他面を耐油性層としない四形紙材を用いることができる。
前記四形紙材は丸型食材が切り離された一片を載置可能な強度を持つ厚みを有するものであるならば，素材を特に限定するものではない。この場合，紙材の全体の厚みは少なくとも３２０ｇ/平方メートル以上から３５０ｇ/平方メートル以下の厚みとすることが望ましい。
両面を耐油性層とした四形紙材は，紙材両面にフッ素系樹脂を使用しない食品衛生試験に合格した食用耐油を採用した耐油性層とした素材を採用する。
片面を耐油性層とする四形紙材は，その一面にフッ素系樹脂を使用しない食品衛生試験に合格した食用耐油を塗布した耐油性層となし，他面は食用耐油を塗布しない印刷可能な紙材とする。両面又は片面を耐油性層とした紙材の全体の厚みは少なくとも３２０ｇ/平方メートル以上から３５０ｇ/平方メートル以下の厚みとすることが望ましい。
丸型食品の種類によるが，ピザの場合，直径３６センチメートルピザの１/１２(約1０0g)，及び直径２４センチメートルピザの１/８(約100g)を乗せられる程度の強度を持つ紙材として３２０ｇ/平方メートル以上から３５０ｇ/平方メートル以下の厚みが適当である。
【００３１】
本件考案の実施例のうちで主なものとして考案を実施するための形態に平面紙材を採用した場合の形態について以下説明する。
本件考案の実施例は，平面紙材１の中に第一実施例２と第二実施例３を交互に等脚台形面４を配置するように設計し，これをプレス機で型抜きすることで出来上がる。
また，四形紙材１の中に第一実施例２と第一実施例３を交互に等脚台形面４を配置するように設計し，又は四形紙材１の中に第二実施例２と第二実施例３を交互に等脚台形面４を配置するように設計しても良く，これらをプレス機で型抜きすることで出来上がる。
【００３２】
本考案の第一実施例２は前記紙材を上辺５と下辺６と左右斜辺７，８からなる等脚台形面４に成形し，その下辺に第一の立上げ部９と第一の摘み部１０を二本の折り線で形成した長方形面１１と，前記長方形面１１と前記等脚台形面４と一体形成し，前記等脚台形面４の上辺より下辺方向に向かった面に食品二口目の噛み切り位置にミシン目１２を設けて形成した折曲切取可能面１３とそれに連続する食品載置面１４から構成してなる食器用器具である。
【００３３】
本考案の第二実施例３は，前記した四形紙材1であって，前記紙材の中に上辺５と下辺６と左右斜辺７，８からなる等脚台形面４に成形し，その下辺に形成した長方形面１１の長手方向に第一折り目線１７と第二折り目線１８の二本の折り線を設けて形成した第一の立上げ部１９と第一の摘み部２０と，前記等脚台形面４の上辺５より下辺方向に向かった面に食品二口目の噛み切り位置にミシン目１２を設けて形成した折曲切取可能面１３とそれに連続する食品１片の食品載置面１４と，前記等脚台形面下辺の長方形面１１と前記等脚台形面下辺の中央に上辺方向に延伸した二本の切り取り線２１を設け，前記二本線により囲繞した囲繞領域面２２と，前記囲繞領域面２２の中に第三折り目線２３と第四折り目線２４を形成して第二の立上げ部２５と第二の摘み部２６とを構成する。
【００３４】
本件考案の構成について図面に従い以下説明する。
図１は，本考案の一実施例の所定の規格に裁断された四形紙材１に配置された第一実施例２と第二実施例３の底面図である。図１に図示された底面図において，本件考案の外形を形作っている輪郭は，切り取り線１９で成形する。通常，四形紙材１はオフセット印刷に使用する大きさのものを使用し，その中に金型により，本考案の第一実施例２と第二実施例３の型が多数，相互に逆向きに配置する。向かって右側が第一実施例２を図示した。向かって左側は第二実施例３を図示した。
【００３５】
図２は四形紙材１から前記切り取り線１９に沿って切り出された本考案の一実施例である。
その構成は，前記紙材で成形された輪郭が上辺と下辺と左右斜辺が等しい等脚台形面４である。前記等脚台形面４の下辺６に第一の立上げ部９と第一の摘み部１０を二本の折り線で形成した長方形面１１と前記等脚台形面４と一体形成する。そして，前記等脚台形面４の上辺５より下辺方向に向かった面に食品二口目の噛み切り位置にミシン目１２を設けて形成した折曲切取可能面１３とその面に連続する食品載置面１４と，その面に連続する第一立上げ部９と第一摘み部１０とからなる長方形面１１を一体形成した構成である。
【００３６】
図３は本考案の第一実施例２と第二実施例３が四形紙材１に配置された表面図を示した図である。前記表面図において，相互に逆向きに配置した第一実施例２と第二実施例３は外形輪郭を切り取り線１９で成形した。向かって右側が第一実施例２を図示した。向かって左側は第二実施例３を図示した。
【００３７】
図４に従い第二実施例３を説明する。第二実施例３は両面の表面を耐油性層１５となした四形紙材１から前記切り取り線１９に沿って切り出された本考案の食器用器具である。
前記四形紙材1において正面視して上辺５と下辺６は，向かって上辺５が下に，下辺６が上に配置され左右斜辺７，８が等しい等脚台形面４に成形した。そして前記した等脚台形面４の下辺に連続する長方形面１１を形成する。
上辺５と下辺６の比率は略３対１が好ましいが，この比率に限定されるものではない。左右斜辺７，８は等しい長さが好ましいが，必ずしも等しい長さである必要はなく丸型食品の切り分け片の形状に合わせるように様々な比率の長さが選択可能である。
前記四形紙材1において形成した前記長方形面１１に対して長手方向に第一折り目線１７と第二折り目線１８の二本の折り線を設けて形成した第一の立上げ部９と第一の摘み部１０を成形する。
前記四形紙材1において形成した前記等脚台形面４の上辺５より下辺方向に向かった面に食品二口目の噛み切り位置にミシン目１２を設けて形成した折曲切取可能面１３とその面に連続する食品載置面１４と，その面に連続する第一の立ち上げ部９と第一の摘み部１０とからなる長方形面１１を一体形成した構成とした上で，前記等脚台形面下辺の長方形面１１と前記等脚台形面下辺の中央に上辺方向に延伸した二本の切り取り線１９を設ける。
前記長方形面１１と前記等脚台形面下辺の中央に上辺方向に延伸した前記二本線により囲繞した囲繞領域面２０に第三折り目線２１と第四折り目線２２を形成して第二の立上げ部２３と第二の摘み部２４を構成する。
【００３８】
次に，本考案の四形紙材1を採用した場合について製造方法について説明する。
先ず，本考案の四形紙材1の前記した条件を備える紙材を選択する。次に，ミシン目や折り目線（筋押し線），切り目線の成形と型抜きができる金型を作成する。プレス機に金型を装着し選択した紙材をセットしてプレス機にかけて製品を作る。製品としては第一実施例２と第二実施例３を一組とすることが望ましい。
【００３９】
次に使用方法について図５から図９にしたがい説明する。図５は本考案の第一実施例の切断具としての実施状況を示す図である。本件考案の等脚台形面４の上辺側を刃先の前方とし，等脚台形面４の下辺６に連続する長方形面側を持ち手として持ち，丸型食品の切り分け部分に挿入し引き抜くと切り離すことができる。
【００４０】
図６は本考案の第一実施例２の取分け用食品載置具としての実施状況を示す図である。本考案の四形紙材1の表面を上にして前記等脚台形面４の下辺側に連続する前記長方形面１１の長手方向において，第一掴み部２６と第二掴み部２７とする左右端を親指と人差し指で夫々掴み，前記等脚台形面４の食品載置部１４を丸型食品の切り分け片の下に挿入して載せる。他の指は前記長方形面１１の底面を支えて口もとにスムースに運ぶことができる。
【００４１】
図7は本考案の第二例の実施例の第一の立上げ部９を立ち上げ第一摘み部１０と第二摘み部２４の斜視図である。
図７は前記四形紙材表面に形成した耐油性層１５を上にして，前記等脚台形面４の上辺５より下辺方向に向かった面に連続する長方形面１１の長手方向に設けた第一折り目線１７で前記等脚台形面４の上辺方向になるように前に折り曲げ，第二折り目線１８で同様に前に折り曲げて立ち上げた状態を示している。
【００４２】
図8は，本考案の第二実施例の切断食品の取分け具としての実施状況を示す図である。図７で図示したように折り曲げてゆくと，本件考案は丸型食品の切分一片を前記等脚台形面４の耐油性層１５に載せ食べ進んでゆくと掴む動作がしづらくなる状態が生じるときがあり，これを解消するために，前記等脚台形面下辺の長方形面１１と前記等脚台形面下辺の中央に上辺方向に延伸した二本の切り取り線１９に沿って第三折り目線２１と第四折り目線２２で折り曲げて，前記二本線により囲繞した囲繞領域面２０にて構成した第二の立上げ部２３を成形し，続いて第二の摘み部２４を成形すると前に押し出し掴む指がより深く入り，容易に丸型食品の切分一片を掴み本件考案を皿として利用できる。
【００４３】
図9は本考案の一実例の実施例の広告媒体としての実施状況を示す図である。本件考案は図１と図３で図示した型材の印刷可能層１６に印刷することができる。さらに，図９で図示したように，食品の載置状態において，親指が摘み部を摘んでいる際にも，
立ち上がってくる第一の摘み部１０と第二の摘み部２４の面や摘み部の左右領域に広告２７などを印刷することができる。その結果，本考案において独特の成形物特有の広告の"見せ方"の工夫ができる。
【００４４】
特に，すでに切り割れされて販売されているピザ食品は上部にモッツァレラチーズ，カマンベールチーズ等のチーズとトマトや，エビ，ハム等のトッピング材が加熱されているので，食品生地にカットが入っていても，チーズ等が粘り，取分けにくいので，
本考案を使用すれば，そのカット機能を利用してトッピング材を切り分けることが容易にできる。
【産業上の利用可能性】
【００４５】
本考案は，カットされたピザを簡単に取り出せる道具として利用できるほか，ショベル型でナイフとしても使用でき，摘んで取り出しそのまま押し出してきれいに食べられる飲食用具として活用できるばかりでなく，底面に印刷ができるので広告媒体としてもピザメーカーや飲料メーカー，ちぢみやお好み焼きなどの飲食店など様々な飲食関連事業分野で利用可能である。
【符号の説明】
【００４６】
１・・・      四形紙材
２・・・      第一実施例
３・・・      第二実施例
４・・・      等脚台形面
５・・・      上辺
６・・・      下辺
７，８・      左右斜辺
９・・・      第一の立上げ部
１０・・      第一の摘み部
１１・・・    長方形面
１２・・・    ミシン目
１３・・・    折曲切取可能面
１４・・・    食品載置面
１５・・・    耐油性層
１６・・・    印刷可能層
１７・・・    第一折り目線
１８・・・    第二折り目線
１９・・・    切り取り線
２０・・・    囲繞領域面
２１・・・    第三折り目線
２２・・・    第四折り目線
２３・・・    第二の立上げ部
２４・・・    第二の摘み部
２５・・・    広告
２６・・・    第一掴み部
２７・・・    第二掴み部
【図２】
0003171558.tif 000003
【図４】
0003171558.tif 000004
【図１】
0003171558.tif 000005
【図３】
0003171558.tif 000006
【図５】
0003171558.tif 000007
【図６】
0003171558.tif 000008
【図７】
0003171558.tif 000009
【図８】
0003171558.tif 000010
【図９】
0003171558.tif 000011